(57)【要約】      （修正有）【課題】エネルギー使用機器のエネルギー使用量を適正化する。【解決手段】電力使用量評価システム１は、ＰＣ、空調機等の電力使用機器について、電力使用情報管理システム１００から電力使用情報を、エリア使用情報管理システム２００からエリア使用情報を取得する。電力使用情報を提示するとともに、電力使用情報及びエリア使用情報に基づいて、エリア毎に電力使用機器の使用状況を評価基準により評価した評価結果、及び電力使用量を適正化するための情報を提示する。【選択図】図１
2015014823.tif 000002
【特許請求の範囲】
【請求項１】
エネルギー利用の評価対象となるエリアで使用されるエネルギー使用機器のエネルギー使用情報を管理するエネルギー使用情報管理システムと、
前記エネルギー使用機器の使用状況を前記エリア毎にエリア使用情報として管理するエリア使用情報管理システムと、
前記エネルギー使用機器が資産管理される資産管理情報に基づいて、前記エリア毎に前記エネルギー使用機器のエネルギー使用量を評価するために用いる評価基準を作成する資産管理情報システムと、
前記エネルギー使用情報管理システムから収集した前記エネルギー使用情報を提示すると共に、前記エネルギー使用情報、前記エリア使用情報管理システムから収集したエリア使用情報、及び前記資産管理情報システムから収集した前記評価基準に基づいて、前記エリア毎に前記エネルギー使用機器の使用状況を前記評価基準により評価した評価結果、及び前記エネルギー使用量を適正化するための情報を提示するエネルギー評価提示システムと、を備える
エネルギー使用量評価システム。
【請求項２】
前記エネルギー評価提示システムは、
情報収集部が前記エネルギー使用情報管理システムから収集する前記エネルギー使用情報、前記情報収集部が前記エリア使用情報管理システムから収集する前記エネルギー使用機器の使用状況、並びに前記情報収集部が前記資産管理情報システムから収集する前記資産管理情報及び前記評価基準を格納するエネルギー評価データベースと、
前記評価基準に基づいて、前記エリア毎に前記エネルギー使用機器のエネルギー使用量を評価した評価結果、及び前記エネルギー使用量の変化に合わせて作成した改善メッセージを前記エネルギー評価データベースに格納するエネルギー評価部と、
前記エネルギー評価データベースから読み出した前記エネルギー使用情報、前記評価結果及び前記改善メッセージを利用者端末に配信する配信部と、を備える
請求項１記載のエネルギー使用量評価システム。
【請求項３】
前記評価結果には、前記エネルギー使用機器の使用状況を前記評価基準により時系列で分類した情報が含まれ、
前記エネルギー使用量を適正化するための情報には、前記エネルギー使用機器が過剰に前記エネルギーを使用することを抑制するための情報が含まれる
請求項２記載のエネルギー使用量評価システム。
【請求項４】
前記エネルギー使用機器には、前記エネルギーとして電力を使用する照明、電子計算機及び空調機が含まれ、
前記評価基準には、照明電力使用量を評価するための照明評価基準、電子計算機電力使用量を評価するための電子計算機評価基準、及び空調機電力使用量を評価するための空調機評価基準が含まれ、
前記エネルギー評価部は、
前記照明評価基準に基づいて、前記エリアにおける前記照明電力使用量を評価する照明電力評価部と、
前記電子計算機評価基準に基づいて、前記エリアにおける前記電子計算機電力使用量を評価する電子計算機電力評価部と、
前記空調機評価基準に基づいて、前記エリアにおける前記空調機電力使用量を評価する空調機電力評価部と、を含む
請求項３記載のエネルギー使用量評価システム。
【請求項５】
前記照明電力評価部は、前記エリアにおける、利用者人数、及び照明電力使用量に基づいて前記利用者１人あたりの前記照明電力使用量を計算し、所定時間間隔で前記利用者１人あたりの前記照明電力使用量と、前記評価基準を比較した結果に基づいて、前記照明電力使用量の評価結果、及び前記照明電力使用量を改善するための改善メッセージを作成する
請求項４記載のエネルギー使用量評価システム。
【請求項６】
前記電子計算機電力評価部は、前記エリアにおける、前記電子計算機の起動台数、及び前記電子計算機電力使用量に基づいて計算した前記電子計算機１台あたりの前記計算機の電力使用量を計算し、所定時間間隔で前記電子計算機１台あたりの前記計算機の電力使用量と、前記評価基準を比較した結果に基づいて、前記電子計算機電力使用量の評価結果、及び前記電子計算機電力使用量を改善するための改善メッセージを作成する
請求項４記載のエネルギー使用量評価システム。
【請求項７】
前記空調機電力評価部は、前記エリアにおける、エリア内温度、設定温度、前記空調機の運転台数、利用者人数及び空調機電力使用量に基づいて前記利用者１人あたりの前記空調機電力使用量を計算し、所定時間間隔で利用者１人あたりの前記空調機電力使用量と、前記評価基準を比較した結果に基づいて、前記空調機電力使用量の評価結果、及び前記空調機電力使用量を改善するための改善メッセージを作成する
請求項４記載のエネルギー使用量評価システム。
【請求項８】
前記改善メッセージには、前記エネルギー使用情報管理システム、前記エリア使用情報管理システム、資産管理情報システム、エネルギー評価提示システム、前記エネルギー使用機器のうち、いずれかに障害が発生したことを示すメッセージが含まれる
請求項５記載のエネルギー使用量評価システム。
【請求項９】
前記エネルギーには、前記電力の他に、ガス、水道、灯油、化学薬品の少なくともいずれか１つ、又はいずれか複数の組み合わせが含まれる
請求項１〜８のいずれか１項に記載のエネルギー使用量評価システム。
【請求項１０】
エネルギー利用の評価対象となるエリアで使用されるエネルギー使用機器のエネルギー使用情報を管理するエネルギー使用情報管理システムから前記エネルギー使用情報を取得し、前記エネルギー使用機器の使用状況を前記エリア毎にエリア使用情報として管理するエリア使用情報管理システムから前記エリア使用情報を取得し、前記エネルギー使用機器が資産管理される資産管理情報に基づいて、前記エリア毎に前記エネルギー使用機器のエネルギー使用量を評価するために用いる評価基準を作成する資産管理情報システムから前記評価基準を取得して、エネルギー評価データベースに格納する情報収集部と、
前記エネルギー評価データベースから読み出した前記エネルギー使用情報、前記エリア使用情報、及び前記評価基準に基づいて、前記エリア毎に前記エネルギー使用機器の使用状況を前記評価基準により評価した評価結果、及び前記エネルギー使用量を適正化するための情報を作成して、前記エネルギー評価データベースに格納する活動結果評価部と、
前記エネルギー評価データベースから読み出した前記エネルギー使用情報を提示すると共に、前記評価結果及び前記エネルギー使用量を適正化するための情報を配信する配信部と、を備える
エネルギー使用量評価演算装置。
【請求項１１】
エネルギー利用の評価対象となるエリアで使用されるエネルギー使用機器のエネルギー使用情報を管理するエネルギー使用情報管理システムから前記エネルギー使用情報を取得する手順、
前記エネルギー使用機器の使用状況を前記エリア毎にエリア使用情報として管理するエリア使用情報管理システムから前記エリア使用情報を取得する手順、
前記エネルギー使用機器が資産管理される資産管理情報に基づいて、前記エリア毎に前記エネルギー使用機器のエネルギー使用量を評価するために用いる評価基準を作成する資産管理情報システムから前記評価基準を取得する手順、
前記エネルギー使用情報を提示すると共に、前記エネルギー使用情報及び前記エリア使用情報に基づいて、前記エリア毎に前記エネルギー使用機器の使用状況を前記評価基準により評価した評価結果、及び前記エネルギー使用量を適正化するための情報を提示する手順、を
コンピュータに実行させるプログラム。
【発明の詳細な説明】
【技術分野】
【０００１】
本発明は、例えば、エネルギー使用機器が効率よくエネルギー（例えば、電力）を使用できるようにするためのエネルギー使用量評価システム、エネルギー使用量評価演算装置及びプログラムに関する。
【背景技術】
【０００２】
近年、地球温暖化対策や低炭素社会実現の潮流を受けて、エネルギーの使用量を減らす省エネルギー（以下、「省エネ」とも略記する。）化を行うための取組みが進められている。省エネ化を進めるにあたって、エネルギー（例えば、電力）の使用量を読み取る読取り装置を、ＰＣ（Personal Computer）等のエネルギー使用機器に設けて、エネルギー使用量を可視化する技術が用いられている。このようなエネルギー使用量を可視化するための技術として、例えば、ビルや工場で使用される電力の使用量を読取り、現在までの累積使用量を利用者や施設管理者等（以下、「利用者等」と略記する。）に提示するものが知られている。
【０００３】
また、エネルギー使用機器のエネルギー使用量を利用者等に提示する技術として、特許文献１に開示されたものが知られている。この特許文献１に開示された技術は、施設内に設置されている各計測機器で得られた計測電力量の分類毎に消費する電力量の実績を示す実績電力情報を作成し、実績電力情報を表示するための実績画面データを各利用者端末へ配信するものである。
【先行技術文献】
【特許文献】
【０００４】
【特許文献１】特開２０１２−１６８６８９号公報
【発明の概要】
【発明が解決しようとする課題】
【０００５】
しかし、従来の技術では、電力使用量を利用者等に提示するに過ぎなかった。このため、電力使用機器によって電力が使用されるエリア（例えば、四方を壁に囲まれた事務室、電算室、生産ラインが配備されている工場等）における電力の使用状況を評価したり、改善活動を促したりするような利用者等へのアプローチがなかった。この結果、エリア内で電力使用量が過剰であることが利用者等に提示されても、どの設備をどのように操作すれば電力使用量を減らして、電力使用量を適正化することができるのか分からなかった。
【０００６】
本発明はこのような状況に鑑みて成されたものであり、エネルギー使用機器のエネルギー使用量を適正化することを目的とする。
【課題を解決するための手段】
【０００７】
本発明は、エネルギー利用の評価対象となるエリアで使用されるエネルギー使用機器のエネルギー使用情報を管理するエネルギー使用情報管理システムからエネルギー使用情報を取得する。
また、エネルギー使用機器の使用状況をエリア毎にエリア使用情報として管理するエリア使用情報管理システムからエリア使用情報を取得する。
また、エネルギー使用機器が資産管理される資産管理情報に基づいて、エリア毎にエネルギー使用機器のエネルギー使用量を評価するために用いる評価基準を作成する資産管理情報システムから評価基準を取得する。
そして、エネルギー使用情報を提示すると共に、エネルギー使用情報及びエリア使用情報に基づいて、エリア毎にエネルギー使用機器の使用状況を評価基準により評価した評価結果、及びエネルギー使用量を適正化するための情報を提示するものである。
【発明の効果】
【０００８】
本発明によれば、提示されたエネルギー使用情報、評価結果、及びエネルギー使用量を適正化するための情報により、エネルギー使用機器が使用するエネルギー使用量を適正化し、エネルギー使用機器が効率よくエネルギーを使用することができる。
【図面の簡単な説明】
【０００９】
【図１】本発明の第１の実施の形態例に係る電力使用量評価システムの全体構成例を示すブロック図である。
【図２】本発明の第１の実施の形態例に係る計算機のハードウェア構成例を示すブロック図である。
【図３】本発明の第１の実施の形態例に係る電力使用情報管理システムのブロック図である。
【図４】本発明の第１の実施の形態例に係る電力使用状況ＤＢに格納されるデータの構成例を示す説明図である。
【図５】本発明の第１の実施の形態例に係る電力使用実績ＤＢに格納されるデータの構成例を示す説明図である。
【図６】本発明の第１の実施の形態例に係るエリア使用情報管理システムのブロック図である。
【図７】本発明の第１の実施の形態例に係るエリア使用状況ＤＢに格納されるデータの構成例を示す説明図である。
【図８】本発明の第１の実施の形態例に係るエリア使用実績ＤＢに格納されるデータの構成例を示す説明図である。
【図９】本発明の第１の実施の形態例に係る資産管理情報システムのブロック図である。
【図１０】本発明の第１の実施の形態例に係る資産管理データ登録部に登録時に入力する資産管理情報の例を示す説明図である。
【図１１】本発明の第１の実施の形態例に係る各電力使用機器の評価基準の例を示す説明図である。
【図１２】本発明の第１の実施の形態例に係る各エリアの電力使用状況を評価し、利用者端末に配信する評価演算管理システムのブロック説明図である。
【図１３】本発明の第１の実施の形態例に係る電力評価ＤＢに格納されるデータの構成例を示す説明図である。
【図１４】本発明の第１の実施の形態例に係る電力評価配信部で作成されるエリアＩＤに応じた電力の使用状況及び評価結果の構成例を示す説明図である。
【図１５】本発明の第１の実施の形態例に係る電力使用情報管理システムの動作例を示すシーケンス図である。
【図１６】本発明の第１の実施の形態例に係るエリア使用情報管理システムの動作例を示すシーケンス図である。
【図１７】本発明の第１の実施の形態例に係る資産管理情報システムの動作例を示すシーケンス図である。
【図１８】本発明の第１の実施の形態例に係る評価演算管理システムの動作例を示すシーケンス図である。
【図１９】本発明の第１の実施の形態例に係る照明電力評価部の動作例を示すフローチャートである。
【図２０】本発明の第１の実施の形態例に係るＰＣ電力評価部の動作例を示すフローチャートである。
【図２１】本発明の第１の実施の形態例に係る空調機電力評価部の動作例を示すフローチャートである。
【図２２】本発明の第１の実施の形態例に係る活動結果評価部の動作例を示すフローチャートである。
【図２３】本発明の第２の実施の形態例に係る電力使用情報管理システム、エリア使用情報管理システム、資産管理情報システムのうち、何れかに異常が発生した際に利用者端末に表示されるエラー画面のデータファイルの構成例である。
【図２４】本発明の第２の実施の形態例に係るＣＴ、ＶＣＴ、入退管理、ＰＣ空調設備のうち、いずれかに異常が発生した際に利用者端末に表示されるエラー画面のデータファイルの構成例である。
【発明を実施するための形態】
【００１０】
以下、本発明の第１の実施の形態例に係る電力使用量評価システム１について説明する。この電力使用量評価システム１は、例えば装置を構成するコンピュータがプログラムを実行することにより、後述する機能ブロックが連携して行う電力使用情報の提示方法を実現する。本明細書及び図面において、実質的に同一の機能又は構成を有する構成要素については、同一の符号を付することにより重複する説明を省略する。
【００１１】
［エネルギー使用量評価システム］
図１は、電力使用量評価システム１の全体構成例を示すブロック図である。この電力使用量評価システム１は、エネルギー使用量評価システムの一例として示すものである。そして、この電力使用量評価システム１は、エネルギーの一例としての電力の使用量を可視化するシステムに対して、さらにビルや工場等のエリアにおける資産管理情報、及び利用者の入退管理システム等を連携させたものである。この電力使用量評価システム１は、適正に省エネ活動が行われているか評価し、エネルギー利用の評価対象となるエリア内における電力量使用状況、改善活動の評価、電力使用量を改善するための情報を利用者に提示している。また、エネルギー使用機器には、エネルギーとして電力を使用する照明、ＰＣ及び空調機や大型電気機器等が含まれており、これらを「電力使用機器」と総称し、エネルギー使用機器の一例とする。
【００１２】
電力使用量評価システム１は、大きく４つの管理システムによって構成されている。１つ目は、電力使用情報を取得し、保管する電力使用情報管理システム１００である。電力使用情報管理システム１００は、エリア毎に使用されるエネルギー使用機器のエネルギー使用情報を管理するエネルギー使用情報管理システムの一例として用いられる。２つ目は、エリアの使用状況を取得し、保管するエリア使用情報管理システム２００である。エリア使用情報管理システム２００は、エネルギー使用機器の使用状況をエリア毎にエリア使用情報として管理するエリア使用情報管理システムの一例として用いられる。
【００１３】
３つ目は、資産管理情報を登録し電力使用量の評価基準を作成する資産管理情報システム３００である。資産管理情報システム３００は、エネルギー使用機器が資産管理される資産管理情報に基づいて、エリア毎にエネルギー使用機器のエネルギー使用量を評価するために用いる評価基準を作成する資産管理情報システムの一例として用いられる。４つ目は、電力使用情報管理システム１００、エリア使用情報管理システム２００、資産管理情報システム３００からそれぞれ取得した情報に基づいて電力使用機器の電力使用状況の評価を行う評価演算管理システム４００である。この評価演算管理システム４００は、通信網１０を介して利用者端末２０を用いる利用者に電力使用量、評価結果等を提示する。また、評価演算管理システム４００は、エネルギー使用情報、エリア毎にエネルギー使用機器の使用状況を評価基準により評価した評価結果、及びエネルギー使用量を適正化するための情報を提示するエネルギー評価提示システムの一例として用いられる。
【００１４】
評価演算管理システム４００によって提示される評価結果には、例えば、電力使用機器の使用状況を評価基準により時系列で分類した情報が含まれる。また、電力使用量を適正化するための情報には、電力使用機器が過剰に電力を使用することを抑制するための情報として、例えば、後述する改善メッセージが含まれる。また、評価基準には、例えば、後述する照明電力使用量を評価するための照明評価基準、ＰＣ電力使用量を評価するためのＰＣ評価基準、及び空調機電力使用量を評価するための空調機評価基準が含まれる。
【００１５】
電力使用情報管理システム１００は、電力データ収集装置１１０と、電力データ振分装置１２０とを備える。エリア使用情報管理システム２００は、エリアデータ収集装置２１０と、エリアデータ振分装置２２０とを備える。資産管理情報システム３００は、資産管理データ振分装置３１０を備える。評価演算管理システム４００は、評価演算装置４１０を備える。そして、通信網１０には、資産管理データ振分装置３１０に接続される通信網３０が設けられており、例えば施設管理者が使用する利用者端末２０から資産管理データ振分装置３１０には通信網３０を介して、エリア内に設置された設備情報を入力することができる。
各システムは、図２に示すように全体が計算機５０等の情報処理端末によって形成されている。各システム及び装置の詳細な構成例については、後ほど説明する。
【００１６】
［計算機のハードウェア構成例］
次に、電力使用量評価システム１の各部を構成する計算機５０のハードウェア構成を説明する。
図２は、計算機５０のハードウェア構成例を示すブロック図である。ここでは、計算機５０のシステムについて記述する。
【００１７】
計算機５０は、いわゆるコンピュータとして用いられるハードウェアである。計算機５０には、処理装置であるＣＰＵ(Central Processing Unit：中央処理装置)５１、プログラムなどを記憶する読み出し専用記憶装置であるＲＯＭ（Read Only Memory）５２が実装されている。また、ＣＰＵと直接やりとりを行うメインメモリーであるＲＡＭ（Random Access Memory）５３、画面に出力を行う表示部（ディスプレイ）５５、操作を行う操作部（マウス、キーボード）５６が実装されている。また、長期保管用ストレージである不揮発性ストレージ（ハードウエアディスク）５７ネットワークに接続を行うネットワークインタフェース５８、上記のシステムを回路で繋ぐバス５４が実装されている。
【００１８】
ＣＰＵ５１は、第１の実施の形態例に係る各機能を実現するソフトウェアのプログラムコードをＲＯＭ５２から読み出して実行する。ＲＡＭ５３には、演算処理の途中に発生した変数やパラメータ等が一時的に書き込まれる。表示部５５には、例えば、液晶ディスプレイモニタが用いられ、計算機５０で行われる処理の結果等を利用者等に表示する。操作部５６は、利用者等が所定の操作入力、指示を行うことが可能である。
【００１９】
不揮発性ストレージ５７には、例えば、ＨＤＤ（Hard disk drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ５７には、ＯＳ（Operating System）、各種のパラメータの他に、計算機５０を機能させるためのプログラムが記録されている。ネットワークインタフェース５８には、例えば、ＮＩＣ（Network Interface Card）等が用いられ、端子が接続されたケーブルを介して各種のデータ、信号等を送受信することが可能である。
【００２０】
電力使用情報管理システム１００、エリア使用情報管理システム２００、資産管理情報システム３００、評価演算管理システム４００内の各装置は、計算機５０のハードウェア構成を採用したサーバ装置等の情報処理装置として構成してある。各システム内に設けられる各装置には、ＬＡＮ（Local Area Network）等の通信ネットワークが敷設されており、この通信ネットワークを用いてシステム内の各部が互いにデータ通信を可能としている。また、利用者端末２０は、計算機５０のハードウェア構成を採用したクライアント端末としてある。なお、表示部５５、操作部５６、不揮発性ストレージ５７は、各システム、各端末において必要に応じて脱着される。
【００２１】
［電力使用情報管理システム］
図３は、各エリアにおける電力使用量を取得し、配信する電力使用情報管理システム１００のブロック図である。ここでは、電力使用情報管理システム１００がＣＴ（Current Transformer：電力計測機器）１３１等から電力使用量を取得し、評価演算管理システム４００に電力使用実績を配信するまでの処理の流れを説明する。
【００２２】
電力使用情報管理システム１００には、図２に示したような計算機５０からなる電力データ収集装置１１０、電力データ振分装置１２０が実装されている。始めに、電力データ収集装置１１０の構成例を説明した後、電力データ振分装置１２０の構成例を説明する。
【００２３】
＜電力データ収集装置＞
電力データ収集装置１１０には、電力機器データ収集部１１１、電力使用状況ＤＢ（Data Base：データベース）１１２が実装されている。
【００２４】
電力機器データ収集部１１１は、不図示の低圧受電盤等に設置されている各ＣＴ１３１と通信ネットワークを用いてデータ通信を行う機能を有する。ＣＴ１３１は、建物のエリア毎に設置されている低圧受電盤内のブレーカ毎に設置され、照明、空調、ＰＣ、電気機器等の電力使用機器が使用する電力使用量を計測する機能を有する。これら照明、ＰＣ、空調機は、エリア毎に所定の台数が設置されているものとする。また、電力機器データ収集部１１１は、エリア内に設置されているＶＣＴ（Voltage and Current Transformer：電力需給用計器用変成器）１３２と通信ネットワークを用いてデータ通信を行う機能を実装する。ＶＣＴ１３２は、各棟に設置されている高圧受電盤内に設置され、各棟が使用する電力使用量を計測する機能を有する。
【００２５】
このように電力データ収集装置１１０が収集する電力データには、ＣＴ１３１、ＶＣＴ１３２が計測した電力使用量等の情報が含まれる。そして、電力機器データ収集部１１１は、ＣＴ１３１から取得した電力使用量をＣＴ１３１が計測する時間間隔（例えば１分間隔）で電力使用状況ＤＢ１１２へ格納する。また、電力機器データ収集部１１１は、ＶＣＴ１３２から取得した電力使用量をＶＣＴ１３２が計測する時間間隔（例えば１分間隔）で電力使用状況ＤＢ１１２へ格納する。
【００２６】
電力使用状況ＤＢ１１２は、ＨＤＤ等の記憶装置によって構成されており、電力機器データ収集部１１１で収集された電力使用量を、例えば１分間隔で格納する機能を有する。
【００２７】
＜電力使用状況ＤＢのデータ構成例＞
図４は、電力使用状況ＤＢ１１２に格納されるデータの構成例を示す説明図である。電力使用状況ＤＢ１１２には、エリア毎に付与される識別コードであるエリアＩＤ毎に、エリアＩＤ、機器名称、計測日時、電力使用量が時系列で蓄積される。そして、電力使用状況ＤＢ１１２には、例えば１分間隔でデータが蓄積される。
【００２８】
＜電力データ振分装置＞
電力データ振分装置１２０の構成について説明する。電力データ振分装置１２０には、図２に示したような計算機５０からなる電力使用情報取得部１２１、電力使用実績情報作成部１２２、電力使用実績ＤＢ１２３が実装されている。
【００２９】
電力使用情報取得部１２１は、ＨＤＤ等の記憶装置によって構成されており、通信ネットワークを用いて電力データ収集装置１１０の電力使用状況ＤＢ１１２とデータ通信を行う機能を有する。そして、電力使用状況ＤＢ１１２から電力使用量を、例えば３０分間隔で取得し、電力使用実績情報作成部１２２にデータ通信を行う機能を有する。
【００３０】
電力使用実績情報作成部１２２は、通信ネットワークを用いて電力使用情報取得部１２１から取得した電力データをエリアＩＤと電力使用機器別に分類する機能と、分類された電力データを電力使用実績ＤＢ１２３に格納する機能を有する。
【００３１】
電力使用実績ＤＢ１２３は、ＨＤＤ等の記憶装置によって構成され、電力使用実績情報作成部１２２で作成されたエリアＩＤ別の電力使用量を、所定間隔で蓄積する機能と、評価演算管理システム４００へ電力使用量を、所定間隔で配信する機能を有する。ここで、電力使用実績ＤＢ１２３が電力使用量を蓄積し、配信する間隔は、例えば、３０分間隔とする。
【００３２】
＜電力使用実績ＤＢのデータ構成例＞
図５は、電力使用実績ＤＢ１２３に格納されるデータの構成例を示す説明図である。ここでは、電力使用実績情報作成部１２２で分類されたエリアＩＤ毎に、エリアＩＤ、計測日時の情報と共に、照明電力使用量、ＰＣ電力使用量、空調機電力使用量が時系列で蓄積される。
【００３３】
［エリア使用情報管理システム］
図６は、各エリアにおける使用状況情報を取得し、配信するエリア使用情報管理システム２００のブロック図である。ここでは、使用するエリアのエリアデータを取得し、評価演算管理システム４００に配信するまでの処理の流れを説明する。ここで、「エリアデータ」とは、エリア毎に管理される、エリアへの入退人数、エリア内に設置されたＰＣの起動台数、エリア内で運転される空調機の状況等を含むデータである。
【００３４】
エリア使用情報管理システム２００には、図２に示したような計算機５０からなるエリアデータ収集装置２１０、エリアデータ振分装置２２０が実装されている。
【００３５】
＜エリアデータ収集装置＞
エリアデータ収集装置２１０には、入退管理データ収集部２１１、ＰＣ起動データ収集部２１２、空調機管理データ収集部２１３、エリア使用状況ＤＢ２１４が実装されている。
【００３６】
入退管理データ収集部２１１は、通信ネットワークを用いて各棟のエリア内に設置されている入退管理装置２３１とデータ通信を行い、入退管理装置２３１で計測した入退人数を収集する機能を有する。また、入退管理装置２３１が計測する間隔（例えば１秒間隔）でエリア使用状況ＤＢ２１４へ格納する機能を有する。入退管理装置２３１は、各エリアの出入口に設置されており、各エリアに入退する人数を計測する機能を有する。
【００３７】
ＰＣ起動データ収集部２１２は、通信ネットワークを用いて各棟のエリア内に設置されているＰＣ２３２とデータ通信を行い、ＰＣ２３２で計測したＰＣの起動台数を収集する機能を有する。また、ＰＣ２３２が計測する間隔（例えば１秒間隔）でエリア使用状況ＤＢ２１４へ格納する機能を有する。ここで、不図示のＴＳ（Terminal Server：ターミナルサーバ）は、各エリア内に設置されているＰＣ２３２のうち、何台のＰＣ２３２が起動し、ＴＳにＰＣ２３２が接続してログインしているかを計測する機能を有している。そして、ＰＣ起動データ収集部２１２は、ＴＳが計測したＰＣのログイン台数等も収集する機能を有する。
【００３８】
空調機管理データ収集部２１３は、通信ネットワークを用いてエリア内に設置されている空調機２３３とデータ通信を行う機能を有する。また、各部屋の空調機の運転台数、エリア内温度、設定温度を計測し、空調機２３３が計測する間隔（例えば１分間隔）でエリア使用状況ＤＢ２１４へ格納する機能を有する。空調機２３３は、各エリア内に設置されている空調機の運転台数、及び温度測定機能を使用し、各エリアあたりの空調機の運転台数、温度を計測する機能を有する。
【００３９】
エリア使用状況ＤＢ２１４は、入退管理データ収集部２１１、ＰＣ起動データ収集部２１２、空調機管理データ収集部２１３とデータ通信を行い、各エリアの使用状況を、例えば１分間隔でエリア使用状況ＤＢ２１４へ蓄積する機能を有する。
【００４０】
＜エリア使用状況ＤＢのデータ構成例＞
図７は、エリア使用状況ＤＢ２１４に格納されるデータの構成例を示す説明図である。エリア使用状況ＤＢ２１４には、エリア毎に付与されているエリアＩＤに応じた、計測機器、計測日時、エリアＩＤ、収集した計測結果（人数、ＰＣ起動台数、空調機運転台数、エリア内温度、空調機設定温度のいずれか）が時系列で蓄積されている。
【００４１】
＜エリアデータ振分装置＞
エリアデータ振分装置２２０には、主な機能として、エリア使用状況取得部２２１、エリア使用実績情報作成部２２２、エリア使用実績ＤＢ２２３が実装されている。
【００４２】
エリア使用状況取得部２２１は、通信ネットワークを用いてエリア使用状況ＤＢ２１４に対して、例えば３０分間隔でデータ通信を行い、エリア使用状況ＤＢ２１４からエリアの使用情報を取得し、エリア使用実績情報作成部２２２とデータ通信を行う機能を有する。
【００４３】
エリア使用実績情報作成部２２２は、通信ネットワークを用いてエリア使用状況取得部２２１が取得した各エリアの各機器の使用実績データをエリア毎に分類する機能と分類されたデータをエリア使用実績ＤＢ２２３に格納する機能を有する。
【００４４】
エリア使用実績ＤＢ２２３は、通信ネットワークを用いてエリア使用実績情報作成部２２２で作成されたデータを、例えば３０分間隔で蓄積する機能と評価演算管理システム４００へ各エリアの使用状況を配信する機能を有する。
【００４５】
図８は、エリア使用実績ＤＢ２２３に格納されるデータの構成例を示す説明図である。ここでは、エリア使用実績情報作成部２２２で分類されたエリアＩＤ毎に、エリアＩＤ、計測日時、エリア内人数、使用ＰＣ台数、空調機運転台数、エリア内温度、設定温度が時系列で蓄積される。
【００４６】
［資産管理情報システム］
図９は、各エリアにおける資産管理情報を入力し、電力使用量の評価基準の作成を行う資産管理情報システム３００のブロック図である。ここでは、資産管理情報が入力されてから電力使用量の評価基準を作成し、評価演算管理システムに配信するまでの処理の流れを説明する。
【００４７】
資産管理情報システム３００には、図２に示したような計算機５０からなる資産管理データ振分装置３１０が実装されている。
【００４８】
＜資産管理データ振分装置＞
資産管理データ振分装置３１０には、資産管理データ登録部３１１、資産管理情報ＤＢ３１２、照明電力使用量評価基準作成部３１３、ＰＣ電力使用量評価基準作成部３１４、空調機電力使用量評価基準作成部３１５が実装されている。
【００４９】
資産管理データ登録部３１１は、例えば、施設管理者が利用者端末２０から通信網３０を経由して登録した資産管理情報を資産管理情報ＤＢ３１２に格納する機能を有する。
【００５０】
図１０は、資産管理データ登録部３１１に登録時に入力する資産管理情報の例を示す説明図である。ここでは、資産管理情報として、エリアＩＤ、登録日時、棟、エリア、組織名、エリア内組織人数、照明台数、ＰＣ台数、空調機台数、照明１台あたりの定格使用電力量、ＰＣ１台あたりの定格使用電力量、空調機１台あたりの定格使用電力量を登録する。また、施設管理者が、棟、エリア、組織名を入力した時点でエリアＩＤが自動的に登録され、同一のデータがある場合には上書きされる。
【００５１】
資産管理情報ＤＢ３１２は、通信ネットワークを用いて資産管理データ登録部３１１から入力される資産管理情報を蓄積する機能を有する。また、通信ネットワークを用いて照明電力使用量評価基準作成部３１３、ＰＣ電力使用量評価基準作成部３１４、空調機電力使用量評価基準作成部３１５で作成される評価基準情報を蓄積する機能を有する。また、資産管理情報ＤＢ３１２は、通信ネットワークを用いて資産管理情報、各電力使用機器の電力使用量評価基準を評価演算管理システム４００へ配信する機能を有する。
【００５２】
照明電力使用量評価基準作成部３１３は、資産管理情報ＤＢ３１２から取得される資産管理情報を基に、１人あたりの照明電力使用量評価基準を作成し、作成した照明電力使用量評価基準を資産管理情報ＤＢ３１２に格納する機能を有する。
【００５３】
ここで、照明電力使用量評価基準の作成方法について説明する。資産管理情報ＤＢ３１２からエリアＩＤ、エリア内全就業員人数、照明台数、照明１台あたりの定格使用電力量を取得する。照明１台あたりの定格使用電力量に照明台数を掛け、エリア内全照明使用時の定格使用電力量を求める。求めたエリア内全照明使用時の定格使用電力量からエリア内の全就業員人数を割り、１人あたりの照明定格使用電力量を求める。求めた１人あたり照明定格使用電力量を照明電力使用量評価基準とし、エリアＩＤとともに資産管理情報ＤＢ３１２に格納する。
【００５４】
照明電力使用量評価基準を求めるための上記の演算は、次式のように書き表される。
（照明１台あたりの定格使用電力量）×（照明台数）＝（エリア内全照明使用時の定格使用電力量）
（エリア内全照明使用時の定格使用電力量）／（エリア内の全就業員人数）＝（照明電力使用量評価基準：１人あたりの照明定格使用電力量）
【００５５】
ＰＣ電力使用量評価基準作成部３１４は、資産管理情報ＤＢ３１２から取得される資産管理情報を基に、１人あたりのＰＣ電力使用量評価基準を作成し、作成したＰＣ電力使用量評価基準を資産管理情報ＤＢ３１２に格納する機能を有する。
【００５６】
ここで、ＰＣ電力使用量評価基準の作成方法について説明する。資産管理情報ＤＢ３１２からエリアＩＤ、エリア内全就業員人数、ＰＣ台数、ＰＣ１台あたりの定格使用電力量を取得する。ＰＣ１台あたりの定格使用電力量にＰＣ台数を掛けてエリア内全ＰＣ使用時の定格使用電力量を求める。求めたエリア内全ＰＣ使用時の定格使用電力量からエリア内の全就業員人数を割り、１人あたりのＰＣ定格使用電力量を求める。求めた１人あたりＰＣ定格使用電力量をＰＣ電力使用量評価基準とし、エリアＩＤとともに資産管理情報ＤＢ３１２に格納する。
【００５７】
ＰＣ電力使用量評価基準を求めるための上記の演算は、次式のように書き表される。
（ＰＣ１台あたりの定格使用電力量）×（ＰＣ台数）＝（エリア内全ＰＣ使用時の定格使用電力量）
（エリア内全照明使用時の定格使用電力量）／（エリア内の全就業員人数）＝（ＰＣ電力使用量評価基準：１人あたりのＰＣ定格使用電力量）
【００５８】
空調機電力使用量評価基準作成部３１５は、資産管理情報ＤＢ３１２から取得される資産管理情報を基に、１人あたりの空調機電力使用量評価基準を作成し、作成した空調機電力使用量評価基準を資産管理情報ＤＢ３１２に格納する機能を有する。
【００５９】
ここで、空調機電力使用量評価基準の作成方法について説明する。資産管理情報ＤＢ３１２からエリアＩＤ、エリア内全就業員人数、空調機台数、空調機１台あたりの定格使用電力量を取得する。空調機１台あたりの定格使用電力量に空調機台数を掛けてエリア内全空調機使用時の定格使用電力量を求める。求めたエリア内全空調機使用時の定格使用電力量からエリア内の全就業員人数を割り、１人あたりの空調機定格使用電力量を求める。求めた１人あたり空調機定格使用電力量を空調機電力使用量評価基準とし、エリアＩＤとともに資産管理情報ＤＢ３１２に格納する。
【００６０】
空調機電力使用量評価基準を求めるための上記の演算は、次式のように書き表される。
（空調機１台あたりの定格使用電力量）×（空調機台数）＝（エリア内全空調機使用時の定格使用電力量）
（エリア内全照明使用時の定格使用電力量）／（エリア内の全就業員人数）＝（空調機電力使用量評価基準：１人あたりの空調機定格使用電力量）
【００６１】
図１１は、照明電力使用量評価基準作成部３１３、ＰＣ電力使用量評価基準作成部３１４、空調機電力使用量評価基準作成部３１５で作成した各電力使用機器の評価基準の例を示す説明図である。資産管理情報ＤＢ３１２には、エリアＩＤ毎に照明評価基準、ＰＣ電力使用量評価基準、空調機電力使用量評価基準が蓄積される。このように評価基準を蓄積することで、エリアに応じた評価基準を速やかに読み出して、適切な評価を行うことができる。
【００６２】
［評価演算管理システム］
図１２は、評価演算管理システム４００のブロック図である。ここでは、評価演算管理システム４００は、電力使用情報管理システム１００、エリア使用情報管理システム２００、資産管理情報システム３００から情報を取得し、各エリアの電力使用状況を評価する処理の流れを説明する。さらに、現在の使用状態と改善内容及び改善評価を利用者端末２０に配信するまでの処理の流れを説明する。
【００６３】
評価演算管理システム４００には、図２に示したような計算機５０からなる評価演算装置４１０が実装されている。
【００６４】
＜評価演算装置＞
評価演算装置４１０には、情報収集部４１１、電力評価ＤＢ４１２、照明電力評価部４１３、ＰＣ電力評価部４１４、空調機電力評価部４１５、活動結果評価部４１６、電力評価配信部４１７が実装されている。評価演算装置４１０は、エネルギー使用量評価演算装置の一例として挙げるものである。照明電力評価部４１３、ＰＣ電力評価部４１４、空調機電力評価部４１５は、評価基準に基づいて、エリア毎にエネルギー使用機器のエネルギー使用量を評価した評価結果をエネルギー評価データベースに格納するエネルギー評価部の一例として挙げるものである。
【００６５】
情報収集部４１１は、電力使用情報管理システム１００、エリア使用情報管理システム２００、資産管理情報システム３００と、例えば３０分間隔でデータ通信を行ってデータを取得し、取得したデータを電力評価ＤＢ４１２に格納する機能を有する。
【００６６】
情報収集部４１１が取得するデータとしては、電力使用情報管理システム１００から各エリアの電力使用情報、エリア使用情報管理システム２００から各エリアのエリア使用情報、資産管理情報システム３００から各エリアの資産管理情報と評価基準情報がある。
【００６７】
電力評価ＤＢ４１２は、エネルギー使用機器のエネルギー使用量等の評価結果を格納するエネルギー評価データベースの一例として用いられる。この電力評価ＤＢ４１２は、情報収集部４１１（情報収集部の一例）が電力使用情報管理システム１００から収集する電力使用情報を格納する。また、情報収集部４１１がエリア使用情報管理システム２００から収集する電力使用機器の使用状況を格納する。また、情報収集部４１１が資産管理情報システム３００から収集する資産管理情報及び評価基準を格納する。
【００６８】
また、電力評価ＤＢ４１２は、照明電力評価部４１３、ＰＣ電力評価部４１４、空調機電力評価部４１５、活動結果評価部４１６に対して、電力使用機器の電力使用量を評価判断するために用いられる評価判断データを送る。この評価判断データには、後述する照明評価データ、ＰＣ評価データ、空調機評価データ、各エリアＩＤに応じた前回及び今回の評価結果が含まれる。そして、電力評価ＤＢ４１２は、各評価部から評価結果、改善メッセージ（改善内容の一例）を受け取り、蓄積する。また、蓄積した評価結果、改善メッセージ等のデータを、例えば３０分間隔で電力評価配信部４１７に送信する機能を有する。
【００６９】
照明電力評価部４１３は、照明電力使用量の評価結果、及び照明電力使用量を改善するための改善メッセージを作成する照明電力評価部の一例として用いられる。照明電力評価部４１３は、通信ネットワークを用いて電力評価ＤＢ４１２に蓄積されている各エリアの照明電力使用量とエリア内人数、照明電力使用量評価基準からエリアにおける照明電力使用量を評価する機能を有する。また、照明評価結果と照明改善メッセージを電力評価ＤＢ４１２に格納する機能を有する。以下の説明において、各評価部が行う電力使用量の評価方法の詳細については、後述する（図１９〜図２２を参照。）。
【００７０】
ＰＣ電力評価部４１４は、ＰＣ（電子計算機の一例）電力使用量の評価結果、及びＰＣ電力使用量を改善するための改善メッセージを作成する電子計算機電力評価部の一例として用いられる。ＰＣ電力評価部４１４は、通信ネットワークを用いて電力評価ＤＢ４１２に蓄積されているエリアＩＤに応じた、ＰＣ起動台数、ＰＣの使用電力量、エリア内人数、ＰＣ起動実績、ＰＣ電力使用量評価基準からエリアにおけるＰＣ電力使用量を評価する機能を有する。そして、ＰＣ評価結果とＰＣ改善メッセージを電力評価ＤＢ４１２に格納する機能を有する。
【００７１】
空調機電力評価部４１５は、空調機電力使用量の評価結果、及び空調機電力使用量を改善するための改善メッセージを作成する空調機電力評価部の一例として用いられる。空調機電力評価部４１５は、通信ネットワークを用いて電力評価ＤＢ４１２に蓄積されているエリアＩＤに応じてエリアにおける空調機電力使用量を評価する機能を有する。この評価に際して、電力評価ＤＢ４１２に蓄積されている空調機電力使用量、エリア内人数、空調機運転台数、エリア内温度、設定温度、空調機電力使用量評価基準が用いられる。そして、空調機評価結果と空調改善メッセージを電力評価ＤＢ４１２に格納する機能を有する。
【００７２】
活動結果評価部４１６は、通信ネットワークを用いて電力評価ＤＢ４１２に格納された電力使用機器の電力使用量の評価の推移、及び電力使用量の変化に合わせて作成した活動結果及び改善メッセージを電力評価ＤＢ４１２に格納するものである。このため、電力評価ＤＢ４１２に蓄積されているエリアＩＤに応じた、前回の照明評価結果、前回のＰＣ評価結果、前回の空調機電力評価、現時点の照明評価結果、現時点のＰＣ評価結果、現時点の空調機評価結果を取得する機能を有する。そして、前回の評価結果と現時点の評価結果を比べ、エリア内の環境が改善されているか評価し、活動評価結果と活動改善メッセージを電力評価ＤＢ４１２に格納する機能を有する。
【００７３】
また、活動結果評価部４１６は、活動評価結果に応じて、フロア内の利用者にポイントを付与する機能も有している。例えば、活動結果評価部４１６は、評価結果として「良好」が続く場合には高いポイントを付与し、「改善」から「良好」に変わった場合には、次に高いポイントを付与し、「改善」が続く場合には、ポイントを差し引くことができる。これにより、利用者にとっては高いポイントを得るために省エネ活動に取り組みやすくなる。なお、評価結果の「改善」や「良好」の具体例については後述する。
【００７４】
電力評価配信部４１７は、通信ネットワークを用いて電力評価ＤＢ４１２内に蓄積されている、各エリアの電力使用状況、評価結果、改善メッセージを取得し、通信網１０を介して、例えば３０分間隔で利用者端末２０に配信する機能を有する。これにより利用者端末２０には、各エリアの電力使用状況、評価結果、改善メッセージが表示されることとなる。
【００７５】
図１３は、電力評価ＤＢ４１２に格納されるデータの構成例を示す説明図である。
電力評価ＤＢ４１２には、情報収集部４１１、照明電力評価部４１３、ＰＣ電力評価部４１４、空調機電力評価部４１５、活動結果評価部４１６で取得及び作成したデータが格納される。ここでは、エリア使用実績情報作成部２２２で分類されたエリアＩＤ毎に、評価日時、エリア内人数、照明電力使用量、照明電力使用量評価基準、照明改善メッセージが蓄積される。また、ＰＣ電力使用量、ＰＣ起動実績、ＰＣ電力使用量評価基準、ＰＣ改善メッセージ、空調機運転台数、室内温度、設定温度、空調機電力使用量、空調機電力使用量評価基準、空調機改善メッセージが蓄積される。また、前回の照明評価結果、前回のＰＣ評価結果、前回の空調機評価結果、現時点の照明評価結果、現時点のＰＣ評価結果、現時点の空調機評価結果が蓄積される。
【００７６】
図１４は、電力評価配信部４１７で作成されるエリアＩＤに応じた電力の使用状況及び評価結果の構成例を示す説明図である。ここでは、エリアＩＤ、組織名、棟、エリア、評価対象、評価対象の電力使用量、評価対象の前回及び今回評価結果、評価対象の活動改善メッセージを作成している。このようにエリアＩＤに応じた電力の使用状況及び評価結果を作成することで、エリア毎にどのように省エネ活動が実践されたかを容易に把握することができる。
［各管理システムの動作例］
次に、各管理システムの動作例について、図１５〜図２２を参照して説明する。
【００７７】
＜電力使用情報管理システムの動作例＞
図１５は、電力使用情報管理システム１００の動作例を示すシーケンス図である。
ここでは、電力使用情報管理システム１００にある電力データ収集装置１１０の動作例について説明する。
【００７８】
始めに、電力データ収集装置１１０は、ＶＣＴ１３２が、例えば１分間隔で計測する電力使用量を含む電力データを収集し（Ｓ１）、ＣＴ１３１が、例えば１分間隔で計測する電力使用量を含む電力データを収集する（Ｓ２）。そして、電力データ収集装置１１０は、収集したＣＴ１３１とＶＣＴ１３２の電力使用量を電力使用状況ＤＢ１１２に蓄積し、電力データ振分装置１２０に送信する（Ｓ３）。
【００７９】
次に、電力データ振分装置１２０の電力使用情報取得部１２１は、例えば３０分間隔で、電力データ収集装置１１０の電力使用状況ＤＢ１１２から、ＣＴ１３１とＶＣＴ１３２の集計された電力データを収集する（Ｓ４）。そして、電力データ振分装置１２０は、電力使用実績情報作成部１２２でエリアＩＤ毎に使用電力量を振り分け（Ｓ５）、電力使用実績ＤＢ１２３に使用電力量を蓄積し、評価演算管理システム４００に使用電力量を送信している（Ｓ６）。
【００８０】
＜エリア使用情報管理システムの動作例＞
図１６は、エリア使用情報管理システム２００の動作例を示すシーケンス図である。
ここでは、エリア使用情報管理システム２００にあるエリアデータ収集装置２１０の動作例について説明する。
【００８１】
エリアデータ収集装置２１０は、入退管理装置２３１が、例えば１秒間隔で計測する入退管理データをエリア毎に収集する（Ｓ１１）。また、ＰＣ２３２より、例えば１秒間隔で計測するＰＣ起動台数をエリア毎に収集すると共に、不図示のＴＳが、例えば１秒間隔で計測するＴＳログインデータをエリア毎に収集する（Ｓ１２）。また、空調機２３３が、例えば１分間隔で計測する空調機管理データをエリア毎に収集する（Ｓ１３）。
【００８２】
そして、エリアデータ収集装置２１０は、収集した入退管理データ、ＰＣ起動台数、ＴＳログインデータ及び空調機管理データをエリア毎にエリア使用状況ＤＢ２１４に蓄積し、エリアデータの集計を行う。その後、エリアデータ振分装置２２０にエリア使用状況データを送信する（Ｓ１４）。
【００８３】
次に、エリア使用情報管理システム２００にあるエリアデータ振分装置２２０の動作例について説明する。
エリアデータ振分装置２２０は、エリア使用状況取得部２２１から、例えば３０分間隔で、エリアデータ収集装置２１０からエリア使用状況データを収集する（Ｓ１５）。そして、エリア使用実績情報作成部２２２でエリアＩＤ毎にエリアの使用状況を振り分ける。その後、エリアデータ振分装置２２０は、エリア使用実績ＤＢ２２３にエリアの使用状況を蓄積し（Ｓ１６）、評価演算管理システム４００にエリアＩＤ別のエリアデータを送信している（Ｓ１７）。
【００８４】
＜資産管理情報システムの動作例＞
図１７は、資産管理情報システム３００の動作例を示すシーケンス図である。
ここでは、資産管理情報システム３００にある資産管理データ振分装置３１０について説明する。
【００８５】
利用者端末２０から入力された資産管理情報（Ｓ２１）は、通信網３０を介して資産管理データ振分装置３１０が備える資産管理データ登録部３１１に送られる。そして、資産管理データ登録部３１１は、受け取った資産管理情報を、資産管理データとして資産管理情報ＤＢ３１２に送信する（Ｓ２２）。資産管理情報ＤＢ３１２は、受信した資産管理データをエリアＩＤ別に登録する。併せて、資産管理情報ＤＢ３１２は、資産管理データを、照明電力使用量評価基準作成部３１３、ＰＣ電力使用量評価基準作成部３１４、空調機電力使用量評価基準作成部３１５に送信する（Ｓ２３，Ｓ２４）。
【００８６】
照明電力使用量評価基準作成部３１３、ＰＣ電力使用量評価基準作成部３１４、空調機電力使用量評価基準作成部３１５は、それぞれ照明電力使用量評価基準、ＰＣ電力使用量評価基準、空調機電力使用量評価基準を作成する（Ｓ２５）。そして、作成した評価基準を資産管理情報ＤＢ３１２に送信し（Ｓ２６）、資産管理情報ＤＢにエリアＩＤ別に評価基準を登録する（Ｓ２７）。その後、資産管理情報ＤＢ３１２は、登録された資産管理情報を含む資産管理データと評価基準を評価演算管理システム４００に送信する（Ｓ２８）。
【００８７】
＜評価演算管理システムの動作例＞
図１８は、評価演算管理システム４００の動作例を示すシーケンス図である。
ここでは、評価演算管理システム４００にある評価演算装置４１０について説明する。
【００８８】
評価演算装置４１０は、情報収集部４１１が電力使用情報管理システム１００からエリアＩＤ別電力量（Ｓ３１）を、例えば３０分間隔で取得する。また、評価演算装置４１０は、エリア使用情報管理システム２００からエリアＩＤ別エリアデータ（Ｓ３２）を、例えば３０分間隔で取得する。また、評価演算装置４１０は、資産管理情報システム３００からエリアＩＤ別の資産管理データ及び電力使用量評価基準（Ｓ３３）を、例えば３０分間隔で取得する。そして、ステップＳ３１，Ｓ３２で取得したエリアＩＤ別電力量、エリアＩＤ別エリアデータと、ステップＳ３３で取得したエリアＩＤ別資産管理情報、及びエリアＩＤ別電力使用量評価基準を、エリアＩＤ毎に電力評価ＤＢ４１２に登録する（Ｓ３４）。
【００８９】
評価演算装置４１０は、電力評価ＤＢ４１２に登録した各データに基づいて、照明、ＰＣ、空調機の改善活動の評価を行う（Ｓ３５）。ステップＳ３５で行われる評価の詳細な動作例については後述する。
【００９０】
その後、照明、ＰＣ、空調機の評価結果を電力評価ＤＢ４１２に登録し（Ｓ３６）、電力評価配信部４１７で利用者端末２０に表示させるエリアＩＤ別電力量評価Ｗｅｂ画面を作成し（Ｓ３７）、利用者端末２０にＷｅｂ画面データを配信する（Ｓ３８）。利用者端末２０は、受信したＷｅｂ画面データにより、エリアＩＤ別電力量評価Ｗｅｂ画面を表示する（Ｓ３９）。これにより、利用者端末２０を利用する施設管理者等は、エリア毎に電力の使用状況を把握し、適切な省エネ活動がなされているか把握することができる。
【００９１】
［各管理システムの動作例］
次に、図１８のステップＳ３５に示す評価処理を実行する時における評価演算装置４１０内の各評価部の動作例について、図１９〜図２２のフローチャートを参照して説明する。
【００９２】
＜照明電力評価部の評価例＞
図１９は、照明電力評価部４１３の動作例を示すフローチャートである。照明電力評価部４１３のフローチャートは、電力評価ＤＢ４１２から照明評価データを取得し、照明電力評価部４１３にて評価し、照明評価結果、照明改善メッセージを電力評価ＤＢ４１２に戻すまでの動作を示している。
【００９３】
まず、照明電力評価部４１３は、電力評価ＤＢ４１２から各エリアＩＤに応じた照明電力使用量、エリア内人数、照明電力使用量評価基準を含む照明評価データを取得する（Ｓ４１）。
【００９４】
次に、照明電力評価部４１３は、取得した照明電力使用量とエリア内人数から１人あたりの照明電力使用量を計算する（Ｓ４２）。そして、計算した１人あたりの照明電力使用量と照明電力使用量評価基準を比較し、照明電力使用量の評価を行い、以下の評価結果と照明改善メッセージを作成する（Ｓ４３）。
【００９５】
（１）１人あたりの照明電力使用量が照明電力使用量評価基準より大きい場合、照明の過剰使用と判断できる。このため、照明評価結果を「改善」とし、照明改善メッセージ「不必要な照明を消せ」を作成する。
（２）１人あたりの照明電力使用量が照明電力使用量評価基準より小さい場合、エリア内の作業環境が悪いと判断できる。このため、照明評価結果を「改善」とし、照明改善メッセージ「使用箇所に照明を点けろ」を作成する。
（３）１人あたりの照明電力使用量が照明電力使用量評価基準の範囲内だった場合、照明評価結果を「良好」とし、照明改善メッセージ「作業環境良好！現状維持」を作成する。
そして、照明電力評価部４１３は、作成した照明評価結果と照明改善メッセージを電力評価ＤＢ４１２に格納する（Ｓ４４）。その後、電力評価ＤＢ４１２から読み出された照明評価結果と照明改善メッセージが配信されることにより、エリア内の利用者等は、どのように照明を操作すればよいのか把握しやすくなる。
【００９６】
＜ＰＣ電力評価部の評価例＞
図２０は、ＰＣ電力評価部４１４のフローチャートである。ＰＣ電力評価部４１４のフローチャートは、電力評価ＤＢ４１２からＰＣ評価データを取得し、ＰＣ電力評価部４１４にて評価し、ＰＣ評価結果、ＰＣ改善メッセージを電力評価ＤＢ４１２に戻すまでの動作を示している。
【００９７】
まず、ＰＣ電力評価部４１４が電力評価ＤＢ４１２から各エリアＩＤに応じたＰＣ電力使用量、エリア内人数、ＰＣ起動実績、ＰＣ電力使用量評価基準を含むＰＣ評価データを取得する（Ｓ５１）。
【００９８】
次に、ＰＣ電力評価部４１４は、取得したＰＣ電力使用量をエリア内人員で割って１人あたりのＰＣ電力使用量を計算する（Ｓ５２）。そして、計算した１人あたりのＰＣ電力使用量をＰＣ電力使用量評価基準と比較し、ＰＣ電力使用量の評価を行い、以下の評価結果と照明改善メッセージを作成する（Ｓ５３）。
【００９９】
（１）１人あたりのＰＣ電力使用量がＰＣ電力使用量評価基準より大きい場合、ＰＣが過剰に起動されていると判断できる。このため、ＰＣ評価結果を「改善」とし、ＰＣ改善メッセージ「不必要なＰＣをシャットダウン」を作成する。
（２）１人あたりのＰＣ電力使用量がＰＣ電力使用量評価基準以下、すなわちＰＣ電力使用量評価基準の範囲内だった場合、ＰＣ評価結果を「良好」とし、ＰＣ改善メッセージ「作業環境良好！現状維持」を作成する。
そして、ＰＣ電力評価部４１４は、作成したＰＣ評価結果とＰＣ改善メッセージを電力評価ＤＢ４１２に格納する（Ｓ５４）。その後、電力評価ＤＢ４１２から読み出されたＰＣ評価結果とＰＣ改善メッセージが配信されることにより、エリア内の利用者等は、どのように照明を操作すればよいのか把握しやすくなる。
【０１００】
＜空調機電力評価部の評価例＞
図２１は、空調機電力評価部４１５のフローチャートである。空調機電力評価部４１５のフローチャートは、電力評価ＤＢ４１２から空調機評価データを取得し、空調機電力評価部４１５にて評価し、空調機評価結果、空調改善メッセージを電力評価ＤＢ４１２に戻すまでの動作を示している。
【０１０１】
まず、空調機電力評価部４１５は、電力評価ＤＢ４１２から各エリアＩＤに応じた空調機電力使用量、空調機運転台数、エリア内人数、エリア内温度、設定温度、空調機電力使用量評価基準を含む空調機評価データを取得する（Ｓ６１）。
【０１０２】
次に、取得したエリア内温度と設定温度を比較し、以下の評価結果と照明改善メッセージを作成する（Ｓ６２）。冷房運転の場合であってエリア内温度が２８℃以上の時、及び暖房運転の場合であってエリア内温度が１８℃以下の時、作業環境の悪化を防ぐため、空調機評価結果を「改善」とし、空調改善メッセージ「空調機を運転しろ」を作成する（Ｓ６３）。
【０１０３】
上記のエリア内温度以外、すなわち冷房運転の場合であってエリア内温度が２８℃未満、又は暖房運転の場合であってエリア内温度が１８℃超である場合、空調機電力使用量とエリア内人数から１人あたりの空調機電力使用量を計算する（Ｓ６４）。そして、計算した１人あたりの空調機電力使用量と空調機電力使用量評価基準を比較し、以下の評価結果と照明改善メッセージを作成する評価を行う（Ｓ６５）。
【０１０４】
（１）１人あたりの空調機電力使用量が空調機電力使用量評価基準より大きく、設定温度が冷房の場合にエリア内温度よりも−５℃以下、暖房の場合にエリア内温度よりも＋５℃以上の差がある場合、空調機の過剰起動及び設定温度が異常な設定と判断できる。このため、空調機評価結果を「改善」として作成する。そして、冷房の場合、空調改善メッセージ「空調機の運転数を減らし、設定温度を上げろ」を作成する。暖房の場合、空調改善メッセージ「空調機の運転数を減らし、設定温度を下げろ」を作成する。
（２）１人あたりの空調機電力使用量が空調機電力使用量評価基準より大きく、設定温度がエリア内温度に比べて±５℃以内である場合、空調機を過剰に起動していると判断できる。このため、空調機評価結果を「改善」とし、空調改善メッセージ「空調機の運転数を減らせ」を作成する。
（３）１人あたりの空調機電力使用量が空調機電力使用量評価基準より小さく、冷房の場合に設定温度がエリア内温度よりも−５℃以下、暖房の場合に設定温度がエリア内温度よりも＋５℃以上の差がある場合、作業環境が悪化していると判断できる。このため、空調機評価結果を「改善」として作成する。そして、冷房の場合、空調改善メッセージ「空調機を運転し、設定温度を下げろ」を作成する。暖房の場合、空調改善メッセージ「空調機を運転し、設定温度を上げろ」を作成する。
（４）１人あたりの空調機電力使用量が空調機電力使用量評価基準の範囲内、又は１人あたりの空調機電力使用量が空調機電力使用量評価基準より小さく、かつ設定温度がエリア内温度に比べ±５℃以内の場合、空調機評価結果を「良好」として作成する。そして、空調改善メッセージを「作業環境良好！現状維持」を作成する。
そして、空調機電力評価部４１５は、作成した空調機評価結果と空調機改善メッセージを電力評価ＤＢ４１２に格納する（Ｓ６６）。その後、電力評価ＤＢ４１２から読み出された空調機評価結果と空調機改善メッセージが配信されることにより、エリア内の利用者等は、どのように照明を操作すればよいのか把握しやすくなる。
【０１０５】
＜活動結果評価部の評価例＞
図２２は、活動結果評価部４１６のフローチャートである。活動結果評価部４１６のフローチャートは、電力評価ＤＢ４１２から、活動結果評価部４１６にて評価し、活動評価結果を電力評価ＤＢ４１２に戻すまでの動作を示している。
【０１０６】
まず、活動結果評価部４１６が電力評価ＤＢ４１２から各エリアＩＤに応じた前回の照明評価結果、及び前回のＰＣ評価結果、並びに前回の空調機評価結果、現時点の照明評価結果、現時点のＰＣ評価結果、及び現時点の空調機評価結果を取得する（Ｓ７１）。前回の照明評価結果、前回のＰＣ評価結果、前回の空調機評価結果とは、例えば３０分前に評価して得た照明評価結果、ＰＣ評価結果、空調機評価結果である。
【０１０７】
取得した前回の評価結果と現時点の評価結果を比較し、以下の評価を行う（Ｓ７２）。
【０１０８】
（１）前回評価結果が「改善」であり、現時点評価結果が「良好」の場合、活動評価結果を「良好」とし、活動改善メッセージ「改善されました。省エネ活動ありがとうございます。」を作成する。
（２）前回評価結果が「改善」であり、現時点評価結果が「改善」の場合、活動評価結果を「改善」とし、活動改善メッセージ「改善されていません。改善活動を実施してください」を作成する。
（３）前回評価結果が「良好」であり、現時点評価結果が「良好」の場合、活動評価結果を「良好」とし、活動改善メッセージ「エリア内環境が維持されています。省エネ活動ありがとうございます」を作成する。
（４）前回評価結果が「良好」であり、現時点評価結果が「改善」の場合、活動評価結果を「改善」とし、活動改善メッセージ「エリア内環境が悪化しています。改善活動を実施してください。」を作成する。
そして、活動結果評価部４１６は、作成した活動評価結果と活動改善メッセージを電力評価ＤＢ４１２に格納する（Ｓ７３）。
【０１０９】
以上説明した第１の実施の形態例に係る電力使用量評価システム１によれば、エリアの利用者等に対し、エリアの電力使用状況、使用状況の評価、改善メッセージを提示するようにした。これにより、利用者等にとって、過剰に電力を使用している設備を把握しやすくなり、電力使用量を抑えるためにどのように対応すればよいか省エネ活動を明確化することができる。また、実効性のある省エネ活動及び、過度の省エネ活動による職場環境の悪化を防止することができるこれにより、人の活動とエネルギー使用の適切な関係を導くことができる。
【０１１０】
また、省エネ活動を評価することにより、エネルギーのＰＤＣＡ（plan-do-check-act）サイクルを活発化することが期待できる。ここで、ＰＤＣＡサイクルでは、予め計画した電力使用量（Ｐ：計画）に基づいて、電力使用機器を使用した結果（Ｄ：実行）、評価基準に対する電力使用量の評価結果を得る（Ｃ：評価）。これにより、利用者等が電力使用機器の使用を適正化することができる（Ａ：改善）。このようなＰＤＣＡサイクルを繰り返すことにより、環境変化に応じた適切な電力使用量で電力使用機器を使用することが可能となる。
【０１１１】
また、電力評価ＤＢ４１２には、各システムから収集したエリア毎の電力使用情報、電力使用機器の使用状況、資産管理情報及び評価基準が格納されている。そして、電力使用機器の種類毎に設けられる各評価部は、電力評価ＤＢ４１２から読み出した評価基準に基づいて、電力使用機器の種類毎に電力使用量を評価することができる。
【０１１２】
また、電力使用機器の種類毎に設けられる各評価部は、電力使用機器による１人あたりの電力使用量と評価基準を比較することにより評価結果と改善メッセージを作成する。そして、エリア毎の電力使用量と共に、評価結果と改善メッセージが利用者端末２０に配信されることにより、利用者等に対して定期的にエリア内の電力使用量を適正化するための注意喚起が可能となる。これにより、エリア内の利用者等にとって、定期的に省エネ活動を行い、電力使用機器の電力使用量を適正化することができる。また、電力使用量を適正化することにより、エリア内の利用者等にとって、過ごしやすい環境とすることができる。
【０１１３】
また、評価結果等に応じて、所定数のポイントをエリア内の利用者等に付与することにより、利用者等が行う省エネ活動の意欲を上げることができる。
【０１１４】
［システム異常時の動作例］
次に、本発明の第２の実施の形態例に係る電力使用量評価システム１について説明する。この電力使用量評価システム１は、電力使用情報管理システム１００、エリア使用情報管理システム２００、資産管理情報システム３００、何れかのシステムに発生した異常に対処するものである。
【０１１５】
電力使用情報管理システム１００、エリア使用情報管理システム２００、資産管理情報システム３００、何れかに異常が発生して、システム動作が停止している場合には、評価演算管理システム４００による評価が行われない。このとき電力使用量の評価が行われないことが利用者等に示されなければ、利用者等は電力使用機器の電力使用量を改善することができない。
【０１１６】
ここで、第２の実施の形態例に係る電力使用量評価システム１は、システムに生じた異常を利用者等に示すためのエラー画面を作成するようにした。例えば、評価演算管理システム４００の電力評価配信部４１７は「エラー」を表示するためのエラー画面を作成し、利用者端末２０に画面を配信する。これにより、各利用者端末２０にはエラー画面が表示され、利用者等はシステムにエラーが生じたことを把握できる。
【０１１７】
図２３は、電力使用情報管理システム１００、エリア使用情報管理システム２００、資産管理情報システム３００のうち、いずれかに異常が発生した際に利用者端末２０に表示されるエラー画面のデータファイルの構成例である。ここでは、エリアＩＤ、組織名、棟、エリア、評価対象（例えば、照明、ＰＣ、空調機）の電力使用量、前回及び今回の活動評価、活動改善メッセージ、評価対象別改善メッセージの欄にエラーを表記し、作成している。
【０１１８】
例えば、評価演算管理システム４００が停止している場合、利用者端末２０との通信網１０が接続できないため、利用者端末２０に「ネットワーク接続エラー」が表示される。
【０１１９】
また、ＣＴ１３１，ＶＣＴ１３２，入退管理装置２３１，ＰＣ２３２，空調機２３３のいずれかに異常が発生し、エリアデータ収集装置２１０がデータを収集できない場合がある。このとき、評価演算管理システム４００の電力評価配信部４１７によってデータを収集できなかった評価対象の該当箇所に「エラー」表示をするエラー画面が作成される。そして、このエラー画面が配信され、利用者端末２０に表示されることとなる。このため、利用者等は速やかにシステムの異常を把握し、復旧対応をとることが可能となる。
【０１２０】
図２４は、ＣＴ１３１，ＶＣＴ１３２，入退管理装置２３１，ＰＣ２３２，空調機２３３のうち、いずれかに異常が発生した際に利用者端末２０に表示されるエラー画面のデータファイルの構成例である。
【０１２１】
評価対象のうち、ＰＣ、空調機についてはこれまで通りに評価結果、改善メッセージ等が表示されている。しかし、照明については、前回活動評価、各改善メッセージが「エラー」と表示され、現時点活動評価が「改善」と表示されている。このようにして作成されたエラー画面が利用者端末２０に表示されることにより、利用者等は速やかに電力使用機器の異常を把握し、復旧対応をとることが可能となる。
【０１２２】
このように改善メッセージには、電力使用情報管理システム１００、エリア使用情報管理システム２００、資産管理情報システム３００、エネルギー評価提示システム４００、エネルギー使用機器のうち、いずれかに障害が発生したことを示すメッセージが含まれる。このため、利用者等はメッセージを見るだけで障害が発生した箇所を特定しやすくなる。
【０１２３】
［変形例］
なお、上述した各実施の形態例に置いて、使用量を適正化するためのエネルギーには、電力の他に、ガス、水道、灯油、化学薬品の少なくともいずれか１つ、又はいずれか複数の組み合わせが含まれる。これにより、様々なエネルギーを組み合わせた場合における全体のエネルギー使用量、エネルギーコストを抑えることが可能となる。
【０１２４】
また、改善内容の一例として評価結果と改善メッセージを利用者端末２０に配信し、利用者端末２０に表示させるようにしたが、画像やアイコン等を表示させて利用者に直感的に内容を示すようにしてもよい。
【０１２５】
なお、本発明は上述した実施の形態例に限られるものではなく、特許請求の範囲に記載した本発明の要旨を逸脱しない限りその他種々の応用例、変形例を取り得ることは勿論である。
例えば、上記した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【０１２６】
１…電力使用量評価システム、１００…電力使用情報管理システム、２００…エリア使用情報管理システム、３００…資産管理情報システム、４００…評価演算管理システム
【図１】
2015014823.tif 000003
【図２】
2015014823.tif 000004
【図３】
2015014823.tif 000005
【図４】
2015014823.tif 000006
【図５】
2015014823.tif 000007
【図６】
2015014823.tif 000008
【図７】
2015014823.tif 000009
【図８】
2015014823.tif 000010
【図９】
2015014823.tif 000011
【図１０】
2015014823.tif 000012
【図１１】
2015014823.tif 000013
【図１２】
2015014823.tif 000014
【図１３】
2015014823.tif 000015
【図１４】
2015014823.tif 000016
【図１５】
2015014823.tif 000017
【図１６】
2015014823.tif 000018
【図１７】
2015014823.tif 000019
【図１８】
2015014823.tif 000020
【図１９】
2015014823.tif 000021
【図２０】
2015014823.tif 000022
【図２１】
2015014823.tif 000023
【図２２】
2015014823.tif 000024
【図２３】
2015014823.tif 000025
【図２４】
2015014823.tif 000026